(57)【要約】【課題】ローラの曲率を利用してガイドに設けたガイド穴を変形させ、駆動ローラの突起とガイド穴が密着させることで駆動ローラとベルトの摩擦力による回転を加えて、すべりの発生を低減する転写ベルトユニットを提供する。【解決手段】２本以上のローラ間に転写ベルトが掛け渡され、１方のローラは前記転写ベルトを回転するための駆動ローラであり、他方のローラは前記転写ベルトに一定の力で張力をかけるローラである転写ベルトユニットにおいて、転写ベルトの両端に０．５ｍｍ〜３．０ｍｍの厚みｔを持つ硬度３０〜８０度の弾性体のガイドを有するとともに、楕円のガイド穴を転写ベルトの両端に等間隔で設け、前記駆動ローラの両端には転写ベルトに対応した間隔で円錐形の突起を有することとした。【選択図】　　　　図１
2004061669.tif 000002
【特許請求の範囲】
【請求項１】
２本以上のローラ間に転写ベルトが掛け渡され、１方のローラは前記転写ベルトを回転するための駆動ローラであり、他方のローラは前記転写ベルトに一定の力で張力をかけるローラである転写ベルトユニットにおいて、転写ベルトの両端に０．５ｍｍ〜３．０ｍｍの厚みｔを持つ硬度３０〜８０度の弾性体のガイドを有するとともに、楕円のガイド穴を転写ベルトの両端に等間隔で設け、前記駆動ローラの両端には転写ベルトに対応した間隔で円錐形の突起を有することを特徴とする転写ベルトユニット。
【請求項２】
請求項１において、転写ベルトのガイド穴の形状のうち、転写ベルトの進行方向の大きさを２ｂ、軸方向の大きさを２ａ、駆動ローラの半径をＬとするとき、駆動ローラの突起の円の底面の直径φが、下記式（１）、
【数１】
2004061669.tif 000011
を満たす事を特徴とする転写ベルトユニット。
【請求項３】
２本以上のローラ間に転写ベルトが掛け渡され、１方のローラは前記転写ベルトを回転するための駆動ローラであり、他方のローラは前記転写ベルトに一定の力で張力をかけるローラである転写ベルトユニットにおいて、転写ベルトの両端に０．５ｍｍ〜３．０ｍｍの厚みｔを持つ硬度２０〜９０度の弾性体のガイドを有するとともに、円形のガイド穴を転写ベルトの両端に等間隔で設け、駆動ローラの両端には転写ベルトに対応した間隔で楕円錐形の突起を持つことを特徴とする転写ベルトユニット。
【請求項４】
請求項３においてガイド穴の半径がφｒ、ベルトの厚みがｔのとき駆動ローラの突起の楕円底面の軸方向の大きさ２ｃが、下記式（２）、
【数２】
2004061669.tif 000012
を満たす事を特徴とする転写ベルトユニット。
【発明の詳細な説明】
【０００１】
【発明の属する技術分野】
本発明は、カラー複写機、ファクシミリ、カラープリンタ等の画像形成に高い位置精度を要求される電子写真装置に組込まれる転写ベルトユニットに関するものである。
【０００２】
【従来の技術】
従来、１色ごとに色を重ねていくカラータイプの電子写真装置においては、画像形成の際に、重ねる色の位置づれの発生を防止するため転写ベルトを高い位置精度に保つ技術が求められてきた。図４に従来の転写ベルトユニットの代表的な例を示す。図４に示す通り、回転するための機構を有した駆動ローラ１０１と、一定の力でベルトに張力をかけられる機構を有する従動ローラ１０２との間に、両端にガイド１０４を設けたベルトを掛け渡され、駆動ローラが回転する際にベルトも回転するように転写ベルトユニットとして構成されている。
【０００３】
【発明が解決しようとする課題】
しかし、転写ベルトの回転は、ローラとの摩擦力による連れ周りによるため、紙粉や飛散トナーなどの微粒子がベルトの内側に付着すると、摩擦力が低下しすべりが発生し、画像色ずれの原因となる。
【０００４】
そこで、本発明では、ローラの曲率を利用してガイドに設けたガイド穴を変形させ、駆動ローラの突起とガイド穴が密着させることで駆動ローラと転写ベルトの摩擦力による回転を加えて、すべりの発生を低減する転写ベルトユニットを提供することを目的とする。
【０００５】
【課題を解決するための手段】
前記の課題を解決するために、請求項１記載の発明では、２本以上のローラ間に転写ベルトが掛け渡され、１方のローラは前記転写ベルトを回転するための駆動ローラであり、他方のローラは前記転写ベルトに一定の力で張力をかけるローラである転写ベルトユニットにおいて、転写ベルトの両端に０．５ｍｍ〜３．０ｍｍの厚みｔを持つ硬度３０〜８０度の弾性体のガイドを有するとともに、楕円のガイド穴を転写ベルトの両端に等間隔で設け、前記駆動ローラの両端には転写ベルトに対応した間隔で円錐形の突起を有することを最も主要な特徴とする。
【０００６】
請求項２記載の発明では、請求項１において、転写ベルトのガイド穴の形状のうち、転写ベルトの進行方向の大きさを２ｂ、軸方向の大きさを２ａ、駆動ローラの半径をＬとするとき、駆動ローラの突起の円の底面の直径φが、
【０００７】
【数３】
2004061669.tif 000003
【０００８】
を満たす転写ベルトユニットを主要な特徴とする。
【０００９】
請求項３記載の発明では、２本以上のローラ間に転写ベルトが掛け渡され、１方のローラは前記転写ベルトを回転するための駆動ローラであり、他方のローラは前記転写ベルトに一定の力で張力をかけるローラである転写ベルトユニットにおいて、転写ベルトの両端に０．５ｍｍ〜３．０ｍｍの厚みｔを持つ硬度２０〜９０度の弾性体のガイドを有するとともに、円形のガイド穴を転写ベルトの両端に等間隔で設け、駆動ローラの両端には転写ベルトに対応した間隔で楕円錐形の突起を持つことを最も主要な特徴とする。
【００１０】
請求項４記載の発明では、請求項３においてガイド穴の半径がφｒ、ベルトの厚みがｔのとき駆動ローラの突起の楕円底面の軸方向の大きさ２ｃが、
【００１１】
【数４】
2004061669.tif 000004
【００１２】
を満たす転写ベルトユニットを主要な特徴とする。
【００１３】
【発明の実施の形態】
以下、図１に基づいて本発明の実施例を説明する。但しこの実施例に記載されている構成部品の寸法、材質、形状、その相対配置などは特に特定的な記載がない限りは、この発明の範囲をそれのみに限定する趣旨ではなく単なる説明例に過ぎない。
【００１４】
図１は、本発明の実施例に係る転写ベルトユニットの概略説明図であり、１０１は駆動ローラであり、１０２は転写ベルトにテンションを加える従動ローラである。図示しない回転するための機構を有した駆動ローラ１０１と、一定の力でベルトに張力をかけられる機構を有する従動ローラ１０２との間に、両端に存在するガイド１０４に連続的なガイド穴３０１を設けたベルト１０３を掛け渡し、駆動ローラが回転する際にベルトも回転する転写ベルトユニットを構成した。
【００１５】
ベルト１０３の回転の過程で、ベルト１０３が駆動ローラ１０１と接していない間、ガイド穴３０１は図２に示したように惰円の形状３０１ａをしている。ベルトの回転に伴ない、駆動ローラ１０１と接触すると、曲げの力が掛かり変形して円の形状３０１ｂとなる。このように円形状に変形した３０１ｂが駆動ローラに設けられた円錐形突起３０２ａを挟み込むことでベルトを回転させる。
【００１６】
又、ベルト１０３の回転の過程で、ベルト１０３が駆動ローラ１０１と接していない間、ガイド穴３０１は図２に示したように円の形状３０１ｃをしている。ベルトの回転に伴ない、駆動ローラ１０１と接触すると、曲げの力が掛かり変形して楕円の形状３０１ｄとなる。このように円形状に変形した３０１ｄが駆動ローラに設けられた楕円錐形突起３０２ｂを挟み込むことでベルトを回転させる。
【００１７】
以下、上述の転写ベルトユニットを用いた実験例について説明する。ガイドの内周を７７６．５ｍｍに固定し、厚み、ゴム硬度、ガイド穴と突起サイズを変えて色ずれ量の測定を行った。その結果を表１に示す。従来よりも悪くなったものは×、従来と同じものは△、２０％以下で改善が見られたものは○、２０％以上の改善が見られたものに◎としてあらわしている。
【００１８】
【表１】
2004061669.tif 000005
【００１９】
表１はゴム硬度とガイド厚みを変更した際の色ずれ量を示し、駆動ローラの突起は円、ガイド穴は楕円の場合である。
【００２０】
【表２】
2004061669.tif 000006
【００２１】
表２はゴム硬度とガイド厚みを変更した際の色ずれ量を示したものであるが、駆動ローラの突起は楕円、ガイド穴は円である場合である。
【００２２】
次に、ガイドが楕円で突起が円錐の場合、及びガイド円で突起楕円錐の場合ののときの、ガイドの穴と突起の関係について結果を表３及び表４に示す。ガイドの内周は７７６．５ｍｍ、幅は５ｍｍ、厚みｔは０．５ｍｍ、ゴム硬度は５０度としている。
【００２３】
【表３】
2004061669.tif 000007
【００２４】
表３はガイドが楕円で突起が円錐の組み合わせで、突起とガイドの穴の大きさを変更した際の位置ずれ量を示したものである。
【００２５】
【表４】
2004061669.tif 000008
【００２６】
表４はガイドが円で突起が楕円錐の組み合わせで、突起とガイドの穴の大きさを変更した際の位置ずれ量を示したものである。
【００２７】
【発明の効果】
以上説明したように、請求項１によれば、ガイド厚みを０．５ｍｍ〜３．０ｍｍとすることで、ガイドに設けた穴が変形し駆動ローラの突起との密着が良好になる。ゴム硬度３０〜８０とすることで、適度な変形を起こし、すべりに対する効果を持ち、画像ずれが改善される。ガイドが楕円で突起が円錐の組み合わせで、密着がより効率的に出来、ずれが少なくなる。
【００２８】
請求項２によれば、
【００２９】
【数５】
2004061669.tif 000009
【００３０】
を満たす事で、ゴムが変形を起こした際に駆動ローラの突起を挟み込むことが出来、従来よりもずれが改善される。
【００３１】
請求項３によれば、ガイド厚みが０．５ｍｍ〜３．０ｍｍとすることで、ガイドに設けた穴が変形し駆動ローラの突起が密着することができる。ゴム硬度２０〜９０とすることで、適度な変形を起こし、ずれに対して効果がある。即ち、ガイドが円で突起が楕円錐の組み合わせで、密着がより効率的に出来る。
【００３２】
請求項４によれば、
【００３３】
【数６】
2004061669.tif 000010
【００３４】
を満たす事で、ゴムが変形を起こした際に駆動ローラの突起を挟み込むので、ずれの低減が可能である。
【図面の簡単な説明】
【図１】本発明の転写ベルトユニット斜視概略図である。
【図２】本発明の転写ベルトのガイド穴の変形を説明する説明図である。
【図３】本発明の転写ベルトのガイド穴と突起の噛み合わせを説明する説明図である。
【図４】従来の転写ベルトユニット斜視概略図である。
【符号の説明】
１０１　駆動ローラ
１０２　従動ローラ
１０３　転写ベルト
１０４　ガイド
３０１　ガイド穴
３０１ａ　惰円ガイド穴
３０１ｂ　円ガイド穴
３０１ｃ　円ガイド穴
３０１ｄ　惰円ガイド穴
３０２ａ、３０２ｂ　突起
３０２ａ　円錐突起
３０２ｂ　惰円錐突起
【図１】
2004061669.tif 000013
【図２】
2004061669.tif 000014
【図３】
2004061669.tif 000015
【図４】
2004061669.tif 000016